(57)【要約】【課題】小型で優れた光学性能を備え、薄暗い場所でもストロボ照射を必要とせずに撮影可能な明るい画像が得られる大口径の撮影レンズを提供する。【解決手段】この撮影レンズは、物体側から順に、正の屈折力を有する第１レンズＬ１１と、負の屈折力を有する第２レンズＬ１２と、両凸形状の第３レンズＬ１３と、像面ＩＭＧ側に凸面を向けたメニスカス形状の第４レンズＬ１４と、中心から周辺部にいくに従い負の屈折力が次第に弱まり周辺部で正の屈折力を有する第５レンズＬ１５と、が配置されて構成される。第３レンズＬ１３を像面ＩＭＧ側の面に凸面を向けたレンズで構成したことにより、明るいレンズを実現できる。加えて、第１レンズＬ１１と第２レンズＬ１２と間隔をあけて配置することにより、補正面を増やし、明るいレンズを実現することにより顕著になる球面収差を良好に補正することができる。【選択図】図１
2011141396.tif 000002
【特許請求の範囲】
【請求項１】
物体側から順に、
正の屈折力を有する第１レンズと、
負の屈折力を有する第２レンズと、
像側の面が凸形状で正の屈折力を有する第３レンズと、
像側に凸面を向けたメニスカス形状の第４レンズと、
中心から周辺部にいくに従い負の屈折力が次第に弱まり周辺部で正の屈折力を有する第５レンズと、を備え、
前記第１レンズと前記第２レンズとを間隔をあけて配置したことを特徴とする撮影レンズ。
【請求項２】
前記第３レンズは、両凸形状のレンズで構成されていることを特徴とする請求項１に記載の撮影レンズ。
【請求項３】
前記第１レンズおよび前記第２レンズは、物体側に凸面を向けたメニスカスレンズで構成されていることを特徴とする請求項１または２に記載の撮影レンズ。
【請求項４】
開口絞りが、前記第１レンズから前記第５レンズのいずれかのレンズ間に配置されていることを特徴とする請求項１〜３のいずれかひとつに記載の撮影レンズ。
【請求項５】
開口絞りが、前記第２レンズと前記第３レンズとの間に配置されていることを特徴とする請求項１〜３のいずれかひとつに記載の撮影レンズ。
【請求項６】
以下に示す条件式を満足することを特徴とする請求項１〜５のいずれかひとつに記載の撮影レンズ。
（１）  ３．０≧ｆ／Ｄ≧０．７
ただし、Ｄは前記第１レンズの有効径、ｆは前記撮影レンズ全系の焦点距離を示す。
【請求項７】
以下に示す条件式を満足することを特徴とする請求項１〜６のいずれかひとつに記載の撮影レンズ。
（２）  νｄ１＞５０
（３）  νｄ２＜２５
ただし、νｄ１は前記第１レンズのアッベ数、νｄ２は前記第２レンズのアッベ数を示す。
【請求項８】
請求項１〜７のいずれかひとつに記載の撮影レンズと、
前記撮影レンズによって形成された光学像に応じた撮像信号を出力する撮像素子と、
を備えたことを特徴とするカメラモジュール。
【請求項９】
請求項８に記載のカメラモジュールを備えたことを特徴とする撮像装置。
【発明の詳細な説明】
【技術分野】
【０００１】
この発明は、ＣＣＤ（Ｃｈａｒｇｅｄ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの固体撮像素子が備えられた電子撮像装置に好適な小型、軽量の撮影レンズに関する。また、前記撮影レンズを備えたカメラモジュール、前記カメラモジュールを備えた撮像装置に関する。
【背景技術】
【０００２】
近年、携帯電話機やデジタルカメラなどをはじめとする携帯型の電子撮像装置が広く普及している。そして、近年の電子撮像装置の小型化にともない、電子撮像装置に搭載される撮影レンズもより一層の小型化が要求されている。そこで、このような要求を満足する小型のレンズが提案されている（たとえば、特許文献１を参照。）。
【０００３】
特許文献１に開示されている撮像レンズは、物体側から順に配置された、開口絞りと、正の屈折力を有する第１レンズと、前記第１レンズと接合された、負の屈折力を有する第２レンズと、物体側に凹面を向けた第３レンズと、物体側に凹面を向けた第４レンズと、物体側に凸面を向けた第５レンズと、を備えている。この撮像レンズは、かかる構成により、全長が短く、諸収差の良好な補正が可能で、携帯電話機をはじめとする小型撮像装置への搭載に適したコンパクトな明るいレンズ系になっている。
【先行技術文献】
【特許文献】
【０００４】
【特許文献１】特開２００７−２９８５７２号公報
【発明の概要】
【発明が解決しようとする課題】
【０００５】
昨今、携帯電話機に搭載されるカメラは、静止画だけでなく動画撮影まで対応できるようになってきた。特許文献１に開示されたレンズをはじめとする従来の小型撮影レンズは、せいぜいＦ２．８程度の明るさを実現したものである。このような撮影レンズが搭載された携帯電話機を用いて暗い場所での撮影を行う際、静止画撮影の場合には、ストロボのような瞬間的に強い光を発光することが可能な装置を設けることで特に問題は生じない。しかしながら、動画撮影を行う場合は、カメラ作動中は継続した強い光が必要であるため、連続させてストロボを照射しなければならない。ストロボの作動時間が長くなれば、消費電力も大きくなり、バッテリの消耗も激しくなる。このことは、特に小型のバッテリを搭載した携帯電話機などの小型撮像装置で大きな問題となる。
【０００６】
そこで、消費電力の問題を解消するため、撮影レンズを大口径化すれば薄暗い場所でもストロボ照射なしに撮影できるようになると考えられる。しかしながら、特許文献１に開示されている撮像レンズをはじめとする従来のレンズでは、大口径化を実現しようとすると、諸収差の効果的な補正が困難になる。特に、特許文献１に記載のレンズ構成では、開口絞りが、最も物体側に配置されているため、大口径化を実現しようとする場合、球面収差や倍率の色収差などの補正が困難である。加えて、レンズの小型化を維持できないという問題も生じてくる。
【０００７】
この発明は、上述した従来技術による問題点を解消するため、小型で優れた光学性能を備え、薄暗い場所でもストロボ照射を必要とせずに撮影可能な明るい画像が得られる大口径の撮影レンズを提供することを目的とする。加えて、かかる撮影レンズを備えたカメラモジュール、撮像装置を提供することを目的とする。
【課題を解決するための手段】
【０００８】
上述した課題を解決し、目的を達成するため、請求項１の発明にかかる撮影レンズは、物体側から順に、正の屈折力を有する第１レンズと、負の屈折力を有する第２レンズと、像側の面が凸形状で正の屈折力を有する第３レンズと、像側に凸面を向けたメニスカス形状の第４レンズと、中心から周辺部にいくに従い負の屈折力が次第に弱まり周辺部で正の屈折力を有する第５レンズと、を備え、前記第１レンズと前記第２レンズとを間隔をあけて配置したことを特徴とする。
【０００９】
この請求項１に記載の発明によれば、小型、大口径化を実現し、しかも大口径化により発生する球面収差を良好に補正することができる。
【００１０】
また、請求項２の発明にかかる撮影レンズは、請求項１に記載の発明において、前記第３レンズが、両凸形状のレンズで構成されていることを特徴とする。
【００１１】
この請求項２に記載の発明によれば、より明るいレンズを実現するとともに、極めて良好に球面収差を補正することができる。
【００１２】
また、請求項３の発明にかかる撮影レンズは、請求項１または２に記載の発明において、前記第１レンズおよび前記第２レンズが、物体側に凸面を向けたメニスカスレンズで構成されていることを特徴とする。
【００１３】
この請求項３に記載の発明によれば、球面収差、コマ収差などの諸収差を良好に補正することができる。
【００１４】
また、請求項４の発明にかかる撮影レンズは、請求項１〜３のいずれかひとつに記載の発明において、開口絞りが、前記第１レンズから前記第５レンズのいずれかのレンズ間に配置されていることを特徴とする。
【００１５】
この請求項４に記載の発明によれば、倍率の色収差をはじめとする、軸外収差と軸上収差をバランスよく補正することができる。
【００１６】
また、請求項５の発明にかかる撮影レンズは、請求項１〜３のいずれかひとつに記載の発明において、開口絞りが、前記第２レンズと前記第３レンズとの間に配置されていることを特徴とする。
【００１７】
この請求項５に記載の発明によれば、倍率の色収差をはじめとする、軸外収差と軸上収差を極めてバランスよく補正することができる。
【００１８】
また、請求項６の発明にかかる撮影レンズは、請求項１〜５のいずれかひとつに記載の発明において、以下に示す条件式を満足することを特徴とする。
（１）  ３．０≧ｆ／Ｄ≧０．７
ただし、Ｄは前記第１レンズの有効径、ｆは前記撮影レンズ全系の焦点距離を示す。
【００１９】
この請求項６に記載の発明によれば、球面収差の補正が可能な範囲で、薄暗い場所でもストロボ照射を必要とせずに撮影可能な明るい画像が得られる大口径の撮影レンズを提供することができる。
【００２０】
また、請求項７の発明にかかる撮影レンズは、請求項１〜６のいずれかひとつに記載の発明において、以下に示す条件式を満足することを特徴とする。
（２）  νｄ１＞５０
（３）  νｄ２＜２５
ただし、νｄ１は前記第１レンズのアッベ数、νｄ２は前記第２レンズのアッベ数を示す。
【００２１】
この請求項７に記載の発明によれば、色収差を極めて良好に補正することができる。
【００２２】
また、請求項８の発明にかかるカメラモジュールは、請求項１〜７のいずれかひとつに記載の撮影レンズと、前記撮影レンズによって形成された光学像に応じた撮像信号を出力する撮像素子と、を備えたことを特徴とする。
【００２３】
この請求項８に記載の発明によれば、薄暗い場所でもストロボ照射を必要とせずに撮影可能なカメラモジュールを提供することができる。
【００２４】
また、請求項９の発明にかかる撮像装置は、請求項８に記載のカメラモジュールを備えたことを特徴とする。
【００２５】
この請求項９に記載の発明によれば、薄暗い場所でもストロボ照射を必要とせずに撮影可能な小型の撮像装置を提供することができる。
【発明の効果】
【００２６】
この発明によれば、Ｆ値１．８〜２程度の明るさが得られるうえ、諸収差の良好な補正が可能な、小型で優れた光学性能を有する撮影レンズを提供することができるという効果を奏する。また、この撮影レンズを備えることで、薄暗い場所でもストロボ照射を必要とせずに撮影可能なカメラモジュール、撮像装置を提供することができるという効果を奏する。
【図面の簡単な説明】
【００２７】
【図１】実施例１にかかる撮影レンズの構成を示す光軸に沿う断面図である。
【図２】実施例１にかかる撮影レンズの球面収差図、非点収差図、歪曲収差図、および倍率の色収差図である。
【図３】実施例２にかかる撮影レンズの構成を示す光軸に沿う断面図である。
【図４】実施例２にかかる撮影レンズの球面収差図、非点収差図、歪曲収差図、および倍率の色収差図である。
【図５】実施例３にかかる撮影レンズの構成を示す光軸に沿う断面図である。
【図６】実施例３にかかる撮影レンズの球面収差図、非点収差図、歪曲収差図、および倍率の色収差図である。
【図７】実施例４にかかる撮影レンズの構成を示す光軸に沿う断面図である。
【図８】実施例４にかかる撮影レンズの球面収差図、非点収差図、歪曲収差図、および倍率の色収差図である。
【図９】実施例５にかかる撮影レンズの構成を示す光軸に沿う断面図である。
【図１０】実施例５にかかる撮影レンズの球面収差図、非点収差図、歪曲収差図、および倍率の色収差図である。
【図１１】実施例６にかかる撮影レンズの構成を示す光軸に沿う断面図である。
【図１２】実施例６にかかる撮影レンズの球面収差図、非点収差図、歪曲収差図、および倍率の色収差図である。
【発明を実施するための形態】
【００２８】
以下、この発明にかかる撮影レンズ、カメラモジュール、および撮像装置の好適な実施の形態を詳細に説明する。
【００２９】
この実施の形態にかかる撮影レンズは、物体側から順に、正の屈折力を有する第１レンズと、負の屈折力を有する第２レンズと、像側の面が凸形状で正の屈折力を有する第３レンズと、像側に凸面を向けたメニスカス形状の第４レンズと、中心から周辺部にいくに従い負の屈折力が次第に弱まり周辺部で正の屈折力を有する第５レンズと、を備えて構成される。この撮影レンズは、前記第３レンズを像側の面が凸形状のレンズで構成したことにより、明るいレンズを実現できる。また、前記第５レンズを中心から周辺部にいくに従い負の屈折力が次第に弱まり周辺部で正の屈折力を有するレンズで構成することによって、軸外のチーフレイアングルを小さくすることができ、小型撮像装置に搭載するのに適したレンズになる。さらに、前記第１レンズと前記第２レンズとを間隔をあけて配置することにより、補正面を増やし、明るいレンズを実現することにより顕著になる球面収差を良好に補正することができる。
【００３０】
さらに、前記第３レンズを両凸形状で形成すれば、より明るいレンズを実現するとともに、極めて良好に球面収差を補正することが可能になる。また、前記第１レンズおよび前記第２レンズを、物体側に凸面を向けたメニスカスレンズで構成すれば、球面収差、コマ収差などの諸収差をより良好に補正することができる。
【００３１】
また、この実施の形態にかかる撮影レンズでは、開口絞りが、前記第１レンズから前記第５レンズのいずれかのレンズ間に配置されていることが好ましい。このようにすることで、倍率の色収差をはじめとする、軸外収差と軸上収差をバランスよく補正することができる。特に、前記開口絞りを、前記第２レンズと前記第３レンズとの間に配置すれば、倍率の色収差をはじめとする、軸外収差と軸上収差を極めてバランスよく補正することができる。
【００３２】
さらに、この実施の形態にかかる撮影レンズでは、前記第１レンズの有効径をＤ、前記撮影レンズ全系の焦点距離をｆとするとき、次の条件式を満足することが好ましい。
（１）  ３．０≧ｆ／Ｄ≧０．７
【００３３】
条件式（１）は、撮影レンズの構造上、球面収差の補正が可能な範囲内において、薄暗い場所でもストロボ照射を必要とせずに撮影可能な明るい画像が得られる程度のレンズの明るさ（Ｆ値）を規定するための式である。条件式（１）においてその下限を下回ると、明るい画像が得られても、球面収差の補正が困難になる。一方、条件式（１）においてその上限を超えると、薄暗い場所でもストロボ照射なしで撮影可能な明るい画像は得られない。
【００３４】
さらに、この実施の形態にかかる撮影レンズでは、前記第１レンズのアッベ数をνｄ１、前記第２レンズのアッベ数をνｄ２とするとき、次の条件式を満足することが好ましい。
（２）  νｄ１＞５０
（３）  νｄ２＜２５
【００３５】
条件式（２），（３）は、色収差改善のための条件を示す式である。条件式（２），（３）を満足することにより、色収差を極めて良好に補正することができる。なお、条件式（２）においてその下限を下回るか、または条件式（３）においてその上限を超えるような場合には、色収差の発生が顕著になり、好ましくない。
【００３６】
さらに、前記第１レンズ〜前記第３レンズにおいて、少なくとも１面に非球面を形成するとよい。このようにすることにより、球面収差やコマ収差をはじめとする諸収差をより良好に補正することが可能になる。また、前記第１レンズ〜前記第５レンズのいずれかまたはすべてを軽く、加工が容易な樹脂で形成すれば、より安価で、軽量の撮影レンズを提供することができる。
【００３７】
以上説明したように、この実施の形態にかかる撮影レンズは、上記のような特徴を備えているので、小型、軽量、安価で、優れた光学性能を備え、薄暗い場所でもストロボ照射を必要とせずに撮影可能な明るい画像が得られる。この撮影レンズは、特に、薄暗い場所での動画撮影に優れた効果を発揮する。
【００３８】
さらに、上記特徴を備えた撮影レンズと、この撮影レンズによって形成された光学像に応じた撮像信号を出力する撮像素子と、を備えることで、薄暗い場所でもストロボ照射を必要とせずに撮影可能なカメラモジュールを提供することができる。さらに加えて、このようなカメラモジュールを備えた撮像装置を構成すれば、薄暗い場所でもストロボ照射を必要とせずに撮影可能な撮像装置を実現できる。
【実施例１】
【００３９】
図１は、実施例１にかかる撮影レンズの構成を示す光軸に沿う断面図である。この撮影レンズは、図示しない物体側から順に、正の屈折力を有する第１レンズＬ１１と、負の屈折力を有する第２レンズＬ１２と、両凸形状の第３レンズＬ１３と、像面ＩＭＧ側に凸面を向けたメニスカス形状の第４レンズＬ１４と、中心から周辺部にいくに従い負の屈折力が次第に弱まり周辺部で正の屈折力を有する第５レンズＬ１５と、が配置されて構成される。第１レンズＬ１１と第２レンズＬ１２とは、間隔をあけて配置される。また、第１レンズＬ１１はガラス材、第２レンズＬ１２〜第５レンズＬ１５は樹脂で形成されている。第１レンズＬ１１〜第５レンズＬ１５のすべての面に非球面が形成されている。さらに、第３レンズＬ１３の物体側面に、所定の口径を規定する開口絞りＳＴが設けられている。なお、像面ＩＭＧには、ＣＣＤやＣＭＯＳなどの撮像素子の受光面が配置される。
【００４０】
以下、実施例１にかかる撮影レンズに関する各種数値データを示す。
【００４１】
撮影レンズ全系の焦点距離（ｆ）＝6.298738
Ｆ値＝1.98
最大画角：59°
第１レンズＬ１１の有効径（Ｄ）＝3.5
【００４２】
（条件式（１）に関する数値）
ｆ／Ｄ＝1.7996394
【００４３】
（条件式（２）に関する数値）
第１レンズＬ１１のアッベ数（νｄ１）＝    57.74
【００４４】
（条件式（３）に関する数値）
第２レンズＬ１２のアッベ数（νｄ２）＝23.90
【００４５】
ｒ1＝2.146（非球面）
ｄ1＝1.000    ｎｄ1＝1.610    νｄ1＝57.74
ｒ2＝8.918（非球面）
ｄ2＝0.050
ｒ3＝8.797（非球面）
ｄ3＝0.400    ｎｄ2＝1.634    νｄ2＝23.90
ｒ4＝2.580（非球面）
ｄ4＝0.380
ｒ5＝7.468（非球面）
ｄ5＝0.820    ｎｄ3＝1.531    νｄ3＝56.04
ｒ6＝-15.553（非球面）
ｄ6＝0.876
ｒ7＝-3.349（非球面）
ｄ7＝1.339    ｎｄ4＝1.531    νｄ4＝56.04
ｒ8＝-1.460（非球面）
ｄ8＝0.336
ｒ9＝-3.001（非球面）
ｄ9＝0.800    ｎｄ5＝1.531    νｄ5＝56.04
ｒ10＝3.911（非球面）
ｄ10＝1.263
ｒ11＝∞（像面）
【００４６】
円錐係数（Ｋ）および非球面係数（Ａ，Ｂ，Ｃ，Ｄ，Ｅ，Ｆ，Ｇ）
（第１面）
Ｋ＝0.08，
Ａ＝-0.0006041，  Ｂ＝0.0003786，
Ｃ＝-0.0003650，  Ｄ＝0.0000324，
Ｅ＝0.0000158，  Ｆ＝0.0000061，
Ｇ＝-0.0000046
（第２面）
Ｋ＝0.51，
Ａ＝-0.0014381，  Ｂ＝0.0015709，
Ｃ＝0.0002381，  Ｄ＝-0.0000063，
Ｅ＝-0.0000060，  Ｆ＝-0.0000167，
Ｇ＝0.0000028
（第３面）
Ｋ＝10.85，
Ａ＝0.0059194，  Ｂ＝0.0021708，
Ｃ＝-0.0000368，  Ｄ＝0.0000659，
Ｅ＝0.0000577，  Ｆ＝0.0000019，
Ｇ＝-0.0000033
（第４面）
Ｋ＝3.41，
Ａ＝0.0062442，  Ｂ＝-0.0000670，
Ｃ＝-0.0022988，  Ｄ＝0.0012679，
Ｅ＝-0.0015356，  Ｆ＝-0.0008275，
Ｇ＝0.0012178
（第５面）
Ｋ＝-13.23，
Ａ＝-0.0097302，  Ｂ＝0.0001317，
Ｃ＝-0.0020565，  Ｄ＝-0.0010210，
Ｅ＝-0.0007831，  Ｆ＝-0.0001784，
Ｇ＝0.0016874
（第６面）
Ｋ＝143.98，
Ａ＝-0.0222669，  Ｂ＝-0.0097720，
Ｃ＝0.0006997，  Ｄ＝0.0001051，
Ｅ＝-0.0012144，  Ｆ＝-0.0001847，
Ｇ＝0.0004291
（第７面）
Ｋ＝0.55，
Ａ＝-0.0458856，  Ｂ＝-0.0010417，
Ｃ＝-0.0074095，  Ｄ＝-0.0015231，
Ｅ＝0.0012205，  Ｆ＝0.0000000，
Ｇ＝0.0000000
（第８面）
Ｋ＝-1.51，
Ａ＝0.0117707，  Ｂ＝-0.0181185，
Ｃ＝0.0049420，  Ｄ＝-0.0012059，
Ｅ＝0.0001756，  Ｆ＝0.0000000，
Ｇ＝0.0000000
（第９面）
Ｋ＝0.00，
Ａ＝0.0109931，  Ｂ＝-0.0016812，
Ｃ＝-0.0016864，  Ｄ＝0.0008255，
Ｅ＝-0.0001155，  Ｆ＝0.0000000，
Ｇ＝0.0000000
（第１０面）
Ｋ＝-25.78，
Ａ＝-0.0171653，  Ｂ＝0.0023182，
Ｃ＝-0.0006087，  Ｄ＝0.0000782，
Ｅ＝-0.0000047，  Ｆ＝0.0000000，
Ｇ＝0.0000000
【００４７】
図２は、実施例１にかかる撮影レンズの球面収差図、非点収差図、歪曲収差図、および倍率の色収差図である。図中、ＦはＦ線（λ＝４８６ｎｍ）、ｄはｄ線（λ＝５８８ｎｍ）、ＣはＣ線（λ＝６５６ｎｍ）に相当する波長の収差を表す。また、非点収差図における符号Ｓ，Ｍは、それぞれサジタル像面、メリディオナル像面に対する収差を表す。
【実施例２】
【００４８】
図３は、実施例２にかかる撮影レンズの構成を示す光軸に沿う断面図である。この撮影レンズは、図示しない物体側から順に、正の屈折力を有する第１レンズＬ２１と、負の屈折力を有する第２レンズＬ２２と、両凸形状の第３レンズＬ２３と、像面ＩＭＧ側に凸面を向けたメニスカス形状の第４レンズＬ２４と、中心から周辺部にいくに従い負の屈折力が次第に弱まり周辺部で正の屈折力を有する第５レンズＬ２５と、が配置されて構成される。第１レンズＬ２１と第２レンズＬ２２とは、間隔をあけて配置される。また、第１レンズＬ２１はガラス材、第２レンズＬ２２〜第５レンズＬ２５は樹脂で形成されている。第１レンズＬ２１〜第５レンズＬ２５のすべての面に非球面が形成されている。さらに、第３レンズＬ２３の物体側面に、所定の口径を規定する開口絞りＳＴが設けられている。なお、像面ＩＭＧには、ＣＣＤやＣＭＯＳなどの撮像素子の受光面が配置される。
【００４９】
以下、実施例２にかかる撮影レンズに関する各種数値データを示す。
【００５０】
撮影レンズ全系の焦点距離（ｆ）＝6.2998
Ｆ値＝1.976
最大画角：60°
第１レンズＬ２１の有効径（Ｄ）＝3.5
【００５１】
（条件式（１）に関する数値）
ｆ／Ｄ＝1.799943
【００５２】
（条件式（２）に関する数値）
第１レンズＬ２１のアッベ数（νｄ１）＝    57.74
【００５３】
（条件式（３）に関する数値）
第２レンズＬ２２のアッベ数（νｄ２）＝23.90
【００５４】
ｒ1＝2.199（非球面）
ｄ1＝1.000    ｎｄ1＝1.610    νｄ1＝57.74
ｒ2＝16.490（非球面）
ｄ2＝0.050
ｒ3＝10.309（非球面）
ｄ3＝0.400    ｎｄ2＝1.634    νｄ2＝23.90
ｒ4＝2.565（非球面）
ｄ4＝0.380
ｒ5＝6.384（非球面）
ｄ5＝0.503    ｎｄ3＝1.531    νｄ3＝56.04
ｒ6＝-46.383（非球面）
ｄ6＝0.848
ｒ7＝-3.879（非球面）
ｄ7＝1.668    ｎｄ4＝1.531    νｄ4＝56.044
ｒ8＝-1.679（非球面）
ｄ8＝0.472
ｒ9＝-2.611（非球面）
ｄ9＝0.800    ｎｄ5＝1.531    νｄ5＝56.044
ｒ10＝5.539（非球面）
ｄ10＝1.079
ｒ11＝∞（像面）
【００５５】
円錐係数（Ｋ）および非球面係数（Ａ，Ｂ，Ｃ，Ｄ，Ｅ，Ｆ，Ｇ）
（第１面）
Ｋ＝0.11，
Ａ＝-0.0013062，  Ｂ＝-0.0003092，
Ｃ＝-0.0000090，  Ｄ＝0.0000075，
Ｅ＝-0.0000186，  Ｆ＝0.0000039，
Ｇ＝0.0000008
（第２面）
Ｋ＝36.28，
Ａ＝0.0004887，  Ｂ＝0.0030374，
Ｃ＝0.0002440，  Ｄ＝0.0000109，
Ｅ＝-0.0000169，  Ｆ＝-0.0000240，
Ｇ＝0.0000046
（第３面）
Ｋ＝16.71，
Ａ＝0.0049931，  Ｂ＝0.0025315，
Ｃ＝0.0008979，  Ｄ＝0.0000403，
Ｅ＝-0.0000780，  Ｆ＝-0.0000504，
Ｇ＝0.0000080
（第４面）
Ｋ＝3.19，
Ａ＝0.0017553，  Ｂ＝0.0040103，
Ｃ＝-0.0106531，  Ｄ＝0.0037206，
Ｅ＝0.0016027，  Ｆ＝0.0001107，
Ｇ＝-0.0010684
（第５面）
Ｋ＝11.10，
Ａ＝-0.0069360，  Ｂ＝-0.0068979，
Ｃ＝0.0058637，  Ｄ＝-0.0007995，
Ｅ＝-0.0029649，  Ｆ＝-0.0009082，
Ｇ＝0.0016058
（第６面）
Ｋ＝0.00，
Ａ＝-0.0181767，  Ｂ＝-0.0104707，
Ｃ＝-0.0022959，  Ｄ＝0.0013394，
Ｅ＝-0.0016043，  Ｆ＝-0.0016309，
Ｇ＝0.0008445
（第７面）
Ｋ＝-1.09，
Ａ＝-0.0391121，  Ｂ＝-0.0068771，
Ｃ＝-0.0120962，  Ｄ＝0.0068933，
Ｅ＝-0.0029722，  Ｆ＝0.0000000，
Ｇ＝0.0000000
（第８面）
Ｋ＝-1.34，
Ａ＝0.0089795，  Ｂ＝-0.0168271，
Ｃ＝0.0054541，  Ｄ＝-0.0012411，
Ｅ＝0.0001186，  Ｆ＝0.0000000，
Ｇ＝0.0000000
（第９面）
Ｋ＝0.00，
Ａ＝0.0000196，  Ｂ＝0.0016589，
Ｃ＝-0.0017936，  Ｄ＝0.0007214，
Ｅ＝-0.0000865，  Ｆ＝0.000000，
Ｇ＝0.0000000
（第１０面）
Ｋ＝-49.64，
Ａ＝-0.0177242，  Ｂ＝0.0030392，
Ｃ＝-0.0008173，  Ｄ＝0.0001034，
Ｅ＝-0.0000054，  Ｆ＝0.0000000，
Ｇ＝0.0000000
【００５６】
図４は、実施例２にかかる撮影レンズの球面収差図、非点収差図、歪曲収差図、および倍率の色収差図である。図中、ＦはＦ線（λ＝４８６ｎｍ）、ｄはｄ線（λ＝５８８ｎｍ）、ＣはＣ線（λ＝６５６ｎｍ）に相当する波長の収差を表す。また、非点収差図における符号Ｓ，Ｍは、それぞれサジタル像面、メリディオナル像面に対する収差を表す。
【実施例３】
【００５７】
図５は、実施例３にかかる撮影レンズの構成を示す光軸に沿う断面図である。この撮影レンズは、図示しない物体側から順に、正の屈折力を有する第１レンズＬ３１と、負の屈折力を有する第２レンズＬ３２と、両凸形状の第３レンズＬ３３と、像面ＩＭＧ側に凸面を向けたメニスカス形状の第４レンズＬ３４と、中心から周辺部にいくに従い負の屈折力が次第に弱まり周辺部で正の屈折力を有する第５レンズＬ３５と、が配置されて構成される。第１レンズＬ３１と第２レンズＬ３２とは、間隔をあけて配置される。また、第１レンズＬ３１〜第５レンズＬ３５はすべて樹脂で形成されている。第１レンズＬ３１〜第５レンズＬ３５のすべての面に非球面が形成されている。さらに、第３レンズＬ３３の物体側面に、所定の口径を規定する開口絞りＳＴが設けられている。なお、像面ＩＭＧには、ＣＣＤやＣＭＯＳなどの撮像素子の受光面が配置される。
【００５８】
以下、実施例３にかかる撮影レンズに関する各種数値データを示す。
【００５９】
撮影レンズ全系の焦点距離（ｆ）＝6.2998
Ｆ値＝1.984
最大画角：60°
第１レンズＬ３１の有効径（Ｄ）＝3.6
【００６０】
（条件式（１）に関する数値）
ｆ／Ｄ＝1.749944
【００６１】
（条件式（２）に関する数値）
第１レンズＬ３１のアッベ数（νｄ１）＝    56.04
【００６２】
（条件式（３）に関する数値）
第２レンズＬ３２のアッベ数（νｄ２）＝23.90
【００６３】
ｒ1＝2.199（非球面）
ｄ1＝1.000    ｎｄ1＝1.531    νｄ1＝56.04
ｒ2＝16.490（非球面）
ｄ2＝0.050
ｒ3＝10.309（非球面）
ｄ3＝0.400    ｎｄ2＝1.634    νｄ2＝23.90
ｒ4＝2.565（非球面）
ｄ4＝0.380
ｒ5＝6.384（非球面）
ｄ5＝0.503    ｎｄ3＝1.531    νｄ3＝56.04
ｒ6＝-46.383（非球面）
ｄ6＝0.848
ｒ7＝-3.879（非球面）
ｄ7＝1.668    ｎｄ4＝1.531    νｄ4＝56.04
ｒ8＝-1.679（非球面）
ｄ8＝0.472
ｒ9＝-2.611（非球面）
ｄ9＝0.800    ｎｄ5＝1.531    νｄ5＝56.04
ｒ10＝5.539（非球面）
ｄ10＝1.079
ｒ11＝∞（像面）
【００６４】
円錐係数（Ｋ）および非球面係数（Ａ，Ｂ，Ｃ，Ｄ，Ｅ，Ｆ，Ｇ）
（第１面）
Ｋ＝0.11，
Ａ＝-0.0013062，  Ｂ＝-0.0003092，
Ｃ＝-0.0000090，  Ｄ＝0.0000075，
Ｅ＝-0.0000186，  Ｆ＝0.0000039，
Ｇ＝0.0000008
（第２面）
Ｋ＝36.28，
Ａ＝0.0004887，  Ｂ＝0.0030374，
Ｃ＝0.0002440，  Ｄ＝0.0000109，
Ｅ＝-0.0000169，  Ｆ＝-0.0000240，
Ｇ＝0.0000046
（第３面）
Ｋ＝16.71，
Ａ＝0.0049931，  Ｂ＝0.0025315，
Ｃ＝0.0008979，  Ｄ＝0.0000403，
Ｅ＝-0.0000780，  Ｆ＝-0.0000504，
Ｇ＝0.0000080
（第４面）
Ｋ＝3.19，
Ａ＝0.0017553，  Ｂ＝0.0040103，
Ｃ＝-0.0106531，  Ｄ＝0.0037206，
Ｅ＝0.0016027，  Ｆ＝0.0001107，
Ｇ＝-0.0010684
（第５面）
Ｋ＝11.10，
Ａ＝-0.0069360，  Ｂ＝-0.0068979，
Ｃ＝0.0058637，  Ｄ＝-0.0007995，
Ｅ＝-0.0029649，  Ｆ＝-0.0009082，
Ｇ＝0.0016058
（第６面）
Ｋ＝0.00，
Ａ＝-0.0181767，  Ｂ＝-0.0104707，
Ｃ＝-0.0022959，  Ｄ＝0.0013394，
Ｅ＝-0.0016043，  Ｆ＝-0.0016309，
Ｇ＝0.0008445
（第７面）
Ｋ＝-1.09，
Ａ＝-0.0391121，  Ｂ＝-0.0068771，
Ｃ＝-0.0120962，  Ｄ＝0.0068933，
Ｅ＝-0.0029722，  Ｆ＝0.0000000，
Ｇ＝0.0000000
（第８面）
Ｋ＝-1.34，
Ａ＝0.0089795，  Ｂ＝-0.0168271，
Ｃ＝0.0054541，  Ｄ＝-0.0012411，
Ｅ＝0.0001186，  Ｆ＝0.0000000，
Ｇ＝0.0000000
（第９面）
Ｋ＝0.00，
Ａ＝0.0000196，  Ｂ＝0.0016589，
Ｃ＝-0.0017936，  Ｄ＝0.0007214，
Ｅ＝-0.0000865，  Ｆ＝0.0000000，
Ｇ＝0.0000000
（第１０面）
Ｋ＝-49.64，
Ａ＝-0.0177242，  Ｂ＝0.0030392，
Ｃ＝-0.0008173，  Ｄ＝0.0001034，
Ｅ＝-0.0000054，  Ｆ＝0.0000000，
Ｇ＝0.0000000
【００６５】
図６は、実施例３にかかる撮影レンズの球面収差図、非点収差図、歪曲収差図、および倍率の色収差図である。図中、ＦはＦ線（λ＝４８６ｎｍ）、ｄはｄ線（λ＝５８８ｎｍ）、ＣはＣ線（λ＝６５６ｎｍ）に相当する波長の収差を表す。また、非点収差図における符号Ｓ，Ｍは、それぞれサジタル像面、メリディオナル像面に対する収差を表す。
【実施例４】
【００６６】
図７は、実施例４にかかる撮影レンズの構成を示す光軸に沿う断面図である。この撮影レンズは、図示しない物体側から順に、正の屈折力を有する第１レンズＬ４１と、負の屈折力を有する第２レンズＬ４２と、像面ＩＭＧ側の面が凸形状で正の屈折力を有する第３レンズＬ４３と、像面ＩＭＧ側に凸面を向けたメニスカス形状の第４レンズＬ４４と、中心から周辺部にいくに従い負の屈折力が次第に弱まり周辺部で正の屈折力を有する第５レンズＬ４５と、が配置されて構成される。第１レンズＬ４１と第２レンズＬ４２とは、間隔をあけて配置される。また、第１レンズＬ４１〜第５レンズＬ４５はすべて樹脂で形成されている。第１レンズＬ４１〜第５レンズＬ４５のすべての面に非球面が形成されている。さらに、第３レンズＬ４３の物体側面に、所定の口径を規定する開口絞りＳＴが設けられている。なお、像面ＩＭＧには、ＣＣＤやＣＭＯＳなどの撮像素子の受光面が配置される。
【００６７】
以下、実施例４にかかる撮影レンズに関する各種数値データを示す。
【００６８】
撮影レンズ全系の焦点距離（ｆ）＝6.30
Ｆ値＝2
最大画角：59°
第１レンズＬ４１の有効径（Ｄ）＝3.433
【００６９】
（条件式（１）に関する数値）
ｆ／Ｄ＝1.834858
【００７０】
（条件式（２）に関する数値）
第１レンズＬ４１のアッベ数（νｄ１）＝    56.04
【００７１】
（条件式（３）に関する数値）
第２レンズＬ４２のアッベ数（νｄ２）＝23.90
【００７２】
ｒ1＝2.139（非球面）
ｄ1＝1.000    ｎｄ1＝1.531    νｄ1＝56.04
ｒ2＝23.406（非球面）
ｄ2＝0.050
ｒ3＝8.970（非球面）
ｄ3＝0.400    ｎｄ2＝1.634    νｄ2＝23.90
ｒ4＝2.521（非球面）
ｄ4＝0.380
ｒ5＝∞（非球面）
ｄ5＝0.787    ｎｄ3＝1.531    νｄ3＝56.04
ｒ6＝-13.394（非球面）
ｄ6＝0.876
ｒ7＝-5.199（非球面）
ｄ7＝1.415    ｎｄ4＝1.531    νｄ4＝56.04
ｒ8＝-1.500（非球面）
ｄ8＝0.348
ｒ9＝-2.587（非球面）
ｄ9＝0.800    ｎｄ5＝1.531    νｄ5＝56.04
ｒ10＝3.752（非球面）
ｄ10＝1.144
ｒ11＝∞（像面）
【００７３】
円錐係数（Ｋ）および非球面係数（Ａ，Ｂ，Ｃ，Ｄ，Ｅ，Ｆ，Ｇ）
（第１面）
Ｋ＝0.091993，
Ａ＝-0.000377，  Ｂ＝0.0003484，
Ｃ＝-0.000409，  Ｄ＝4.03×10-5，
Ｅ＝1.92×10-5，  Ｆ＝2.92×10-6，
Ｇ＝-6.42×10-6
（第２面）
Ｋ＝3.004417，
Ａ＝-0.001343，  Ｂ＝0.0018782，
Ｃ＝4.31×10-6，  Ｄ＝-9.94×10-5，
Ｅ＝2.86×10-6，  Ｆ＝-8.51×10-6，
Ｇ＝2.36×10-6
（第３面）
Ｋ＝5.723884，
Ａ＝0.0042841，  Ｂ＝0.0014709，
Ｃ＝0.0004289，  Ｄ＝0.0003577，
Ｅ＝-1.87×10-5，  Ｆ＝-7.37×10-5，
Ｇ＝2.83×10-5
（第４面）
Ｋ＝3.589254，
Ａ＝0.00452115，  Ｂ＝-0.0020165，
Ｃ＝-0.0020371，  Ｄ＝0.00072772，
Ｅ＝-0.0029891，  Ｆ＝-0.0014832，
Ｇ＝0.00290421
（第５面）
Ｋ＝0.000000，
Ａ＝-0.01023，  Ｂ＝-0.00161，
Ｃ＝-0.00262，  Ｄ＝-0.00073，
Ｅ＝-0.00115，  Ｆ＝-0.00061，
Ｇ＝0.003092
（第６面）
Ｋ＝121.253700，
Ａ＝-0.01387，  Ｂ＝-0.0094，
Ｃ＝0.002263，  Ｄ＝0.000185，
Ｅ＝-0.00232，  Ｆ＝-0.00091，
Ｇ＝0.001487
（第７面）
Ｋ＝-1.539267，
Ａ＝-0.03789，  Ｂ＝-0.00155，
Ｃ＝-0.00707，  Ｄ＝0.000587，
Ｅ＝-0.00062，  Ｆ＝0，
Ｇ＝0
（第８面）
Ｋ＝-1.785940，
Ａ＝0.010268，  Ｂ＝-0.01719，
Ｃ＝0.005031，  Ｄ＝-0.00137，
Ｅ＝0.000142，  Ｆ＝0，
Ｇ＝0
（第９面）
Ｋ＝0.000000，
Ａ＝0.0213538，  Ｂ＝-0.000798，
Ｃ＝-0.001943，  Ｄ＝0.0007509，
Ｅ＝-7.87×10-5，  Ｆ＝0，
Ｇ＝0
（第１０面）
Ｋ＝-26.264130，
Ａ＝-0.0155256，  Ｂ＝0.0028474，
Ｃ＝-0.0007346，  Ｄ＝8.94×10-5，
Ｅ＝-4.49×10-6，  Ｆ＝0，
Ｇ＝0
【００７４】
図８は、実施例４にかかる撮影レンズの球面収差図、非点収差図、歪曲収差図、および倍率の色収差図である。図中、ＦはＦ線（λ＝４８６ｎｍ）、ｄはｄ線（λ＝５８８ｎｍ）、ＣはＣ線（λ＝６５６ｎｍ）に相当する波長の収差を表す。また、非点収差図における符号Ｓ，Ｍは、それぞれサジタル像面、メリディオナル像面に対する収差を表す。
【実施例５】
【００７５】
図９は、実施例５にかかる撮影レンズの構成を示す光軸に沿う断面図である。この撮影レンズは、図示しない物体側から順に、正の屈折力を有する第１レンズＬ５１と、負の屈折力を有する第２レンズＬ５２と、両凸形状の第３レンズＬ５３と、像面ＩＭＧ側に凸面を向けたメニスカス形状の第４レンズＬ５４と、中心から周辺部にいくに従い負の屈折力が次第に弱まり周辺部で正の屈折力を有する第５レンズＬ５５と、が配置されて構成される。第１レンズＬ５１と第２レンズＬ５２とは、間隔をあけて配置される。また、第１レンズＬ５１〜第５レンズＬ５５はすべて樹脂で形成されている。第１レンズＬ５１〜第５レンズＬ５５のすべての面に非球面が形成されている。さらに、第２レンズＬ５２の物体側面に、所定の口径を規定する開口絞りＳＴが設けられている。なお、像面ＩＭＧには、ＣＣＤやＣＭＯＳなどの撮像素子の受光面が配置される。
【００７６】
以下、実施例５にかかる撮影レンズに関する各種数値データを示す。
【００７７】
撮影レンズ全系の焦点距離（ｆ）＝6.2998
Ｆ値＝1.976
最大画角：60°
第１レンズＬ５１の有効径（Ｄ）＝3.26
【００７８】
（条件式（１）に関する数値）
ｆ／Ｄ＝1.932453988
【００７９】
（条件式（２）に関する数値）
第１レンズＬ５１のアッベ数（νｄ１）＝    56.04
【００８０】
（条件式（３）に関する数値）
第２レンズＬ５２のアッベ数（νｄ２）＝23.90
【００８１】
ｒ1＝2.14（非球面）
ｄ1＝1.00    ｎｄ1＝1.531    νｄ1＝56.04
ｒ2＝23.52（非球面）
ｄ2＝0.05
ｒ3＝9.00（非球面）
ｄ3＝0.40    ｎｄ2＝1.634    νｄ2＝23.90
ｒ4＝2.52（非球面）
ｄ4＝0.38
ｒ5＝1733.55（非球面）
ｄ5＝0.81    ｎｄ3＝1.531    νｄ3＝56.04
ｒ6＝-13.35（非球面）
ｄ6＝0.88
ｒ7＝-5.48（非球面）
ｄ7＝1.45    ｎｄ4＝1.531    νｄ4＝56.04
ｒ8＝-1.52（非球面）
ｄ8＝0.34
ｒ9＝-2.54（非球面）
ｄ9＝0.80    ｎｄ5＝1.531    νｄ5＝56.04
ｒ10＝3.74（非球面）
ｄ10＝1.10
ｒ11＝∞（像面）
【００８２】
円錐係数（Ｋ）および非球面係数（Ａ，Ｂ，Ｃ，Ｄ，Ｅ，Ｆ，Ｇ）
（第１面）
Ｋ＝0.093，
Ａ＝-0.000292，  Ｂ＝0.0003583，
Ｃ＝-0.000416，  Ｄ＝3.84×10-5，
Ｅ＝1.90×10-5，  Ｆ＝3.19×10-6，
Ｇ＝-6.17×10-6
（第２面）
Ｋ＝1.159，
Ａ＝-0.001365，  Ｂ＝0.0018799，
Ｃ＝3.11×10-6，  Ｄ＝-0.000104，
Ｅ＝4.25×10-7，  Ｆ＝-8.59×10-6，
Ｇ＝3.50×10-6
（第３面）
Ｋ＝5.677，
Ａ＝0.0042561，  Ｂ＝0.0014188，
Ｃ＝0.0004077，  Ｄ＝0.000339，
Ｅ＝-1.69×10-5，  Ｆ＝-7.12×10-5，
Ｇ＝2.87×10-5
（第４面）
Ｋ＝3.574，
Ａ＝0.00458149，  Ｂ＝-0.0019315，
Ｃ＝-0.0018153，  Ｄ＝0.00094302，
Ｅ＝-0.0029539，  Ｆ＝-0.0017556，
Ｇ＝0.00227252
（第５面）
Ｋ＝0.000，
Ａ＝-0.01004，  Ｂ＝-0.00157，
Ｃ＝-0.00276，  Ｄ＝-0.001，
Ｅ＝-0.00145，  Ｆ＝-0.00082，
Ｇ＝0.002941
（第６面）
Ｋ＝120.807，
Ａ＝-0.01377，  Ｂ＝-0.00964，
Ｃ＝0.002202，  Ｄ＝0.000276，
Ｅ＝-0.00223，  Ｆ＝-0.00088，
Ｇ＝0.001439
（第７面）
Ｋ＝-1.877，
Ａ＝-0.0376194，  Ｂ＝-0.0016227，
Ｃ＝-0.0071613，  Ｄ＝0.00057162，
Ｅ＝-0.0006068，  Ｆ＝0.0000000，
Ｇ＝0.0000000
（第８面）
Ｋ＝-1.816，
Ａ＝0.010348，  Ｂ＝-0.01723，
Ｃ＝0.005048，  Ｄ＝-0.00136，
Ｅ＝0.000143，  Ｆ＝0，
Ｇ＝0
（第９面）
Ｋ＝0.000，
Ａ＝0.0211814，  Ｂ＝-0.00063，
Ｃ＝-0.00192，  Ｄ＝0.0007527，
Ｅ＝-7.82×10-5，  Ｆ＝0，
Ｇ＝0
（第１０面）
Ｋ＝-27.270，
Ａ＝-0.015234，  Ｂ＝0.0028769，
Ｃ＝-0.000734，  Ｄ＝8.96×10-5，
Ｅ＝-4.53×10-6，  Ｆ＝0，
Ｇ＝0
【００８３】
図１０は、実施例５にかかる撮影レンズの球面収差図、非点収差図、歪曲収差図、および倍率の色収差図である。図中、ＦはＦ線（λ＝４８６ｎｍ）、ｄはｄ線（λ＝５８８ｎｍ）、ＣはＣ線（λ＝６５６ｎｍ）に相当する波長の収差を表す。また、非点収差図における符号Ｓ，Ｍは、それぞれサジタル像面、メリディオナル像面に対する収差を表す。
【実施例６】
【００８４】
図１１は、実施例６にかかる撮影レンズの構成を示す光軸に沿う断面図である。この撮影レンズは、図示しない物体側から順に、正の屈折力を有する第１レンズＬ６１と、負の屈折力を有する第２レンズＬ６２と、両凸形状の第３レンズＬ６３と、像面ＩＭＧ側に凸面を向けたメニスカス形状の第４レンズＬ６４と、中心から周辺部にいくに従い負の屈折力が次第に弱まり周辺部で正の屈折力を有する第５レンズＬ６５と、が配置されて構成される。第１レンズＬ６１と第２レンズＬ６２とは、間隔をあけて配置される。また、第１レンズＬ６１〜第５レンズＬ６５はすべて樹脂で形成されている。第１レンズＬ６１〜第５レンズＬ６５のすべての面に非球面が形成されている。さらに、第３レンズＬ６３の像面ＩＭＧ側の面に、所定の口径を規定する開口絞りＳＴが設けられている。なお、像面ＩＭＧには、ＣＣＤやＣＭＯＳなどの撮像素子の受光面が配置される。
【００８５】
以下、実施例６にかかる撮影レンズに関する各種数値データを示す。
【００８６】
撮影レンズ全系の焦点距離（ｆ）＝6.2998
Ｆ値＝1.9783
最大画角：60°
第１レンズＬ６１の有効径（Ｄ）＝3.424
【００８７】
（条件式（１）に関する数値）
ｆ／Ｄ＝1.837748
【００８８】
（条件式（２）に関する数値）
第１レンズＬ６１のアッベ数（νｄ１）＝    56.04
【００８９】
（条件式（３）に関する数値）
第２レンズＬ６２のアッベ数（νｄ２）＝23.90
【００９０】
ｒ1＝2.135342（非球面）
ｄ1＝1    ｎｄ1＝1.531    νｄ1＝56.04
ｒ2＝23.5182（非球面）
ｄ2＝0.05
ｒ3＝8.996983（非球面）
ｄ3＝0.4    ｎｄ2＝1.634    νｄ2＝23.90
ｒ4＝2.523297（非球面）
ｄ4＝0.38
ｒ5＝1733.546（非球面）
ｄ5＝0.8113935    ｎｄ3＝1.531    νｄ3＝56.04
ｒ6＝-13.3506（非球面）
ｄ6＝0.876499
ｒ7＝-5.48102（非球面）
ｄ7＝1.448892    ｎｄ4＝1.531    νｄ4＝56.04
ｒ8＝-1.52478（非球面）
ｄ8＝0.3448889
ｒ9＝-2.54172（非球面）
ｄ9＝0.8    ｎｄ5＝1.531    νｄ5＝56.04
ｒ10＝3.744833（非球面）
ｄ10＝1.097343
ｒ11＝∞（像面）
【００９１】
円錐係数（Ｋ）および非球面係数（Ａ，Ｂ，Ｃ，Ｄ，Ｅ，Ｆ，Ｇ）
（第１面）
Ｋ＝0.092807，
Ａ＝-0.0002919，  Ｂ＝0.0003583，
Ｃ＝-0.0004158，  Ｄ＝3.84×10-5，
Ｅ＝1.90×10-5，  Ｆ＝3.19×10-6，
Ｇ＝-6.17×10-6
（第２面）
Ｋ＝1.158928，
Ａ＝-0.0013646，  Ｂ＝0.00187991，
Ｃ＝3.11×10-6，  Ｄ＝-0.0001042，
Ｅ＝4.25×10-7，  Ｆ＝-8.59×10-6，
Ｇ＝3.50×10-6
（第３面）
Ｋ＝5.67726，
Ａ＝0.00425609，  Ｂ＝0.00141876，
Ｃ＝0.0004077，  Ｄ＝0.00033899，
Ｅ＝-1.69×10-5，  Ｆ＝-7.12×10-5，
Ｇ＝2.87×10-5
（第４面）
Ｋ＝3.573937，
Ａ＝0.004581，  Ｂ＝-0.00193，
Ｃ＝-0.00182，  Ｄ＝0.000943，
Ｅ＝-0.00295，  Ｆ＝-0.00176，
Ｇ＝0.002273
（第５面）
Ｋ＝0，
Ａ＝-0.01004，  Ｂ＝-0.00157，
Ｃ＝-0.00276，  Ｄ＝-0.001，
Ｅ＝-0.00145，  Ｆ＝-0.00082，
Ｇ＝0.002941
（第６面）
Ｋ＝120.8066，
Ａ＝-0.0137696，  Ｂ＝-0.0096434，
Ｃ＝0.00220205，  Ｄ＝0.00027593，
Ｅ＝-0.0022263，  Ｆ＝-0.0008801，
Ｇ＝0.0014392
（第７面）
Ｋ＝-1.8774，
Ａ＝-0.0376194，  Ｂ＝-0.0016227，
Ｃ＝-0.0071613，  Ｄ＝0.00057162，
Ｅ＝-0.0006068，  Ｆ＝0.0000000，
Ｇ＝0.0000000
（第８面）
Ｋ＝-1.81592，
Ａ＝0.010348，  Ｂ＝-0.01723，
Ｃ＝0.005048，  Ｄ＝-0.00136，
Ｅ＝0.000143，  Ｆ＝0，
Ｇ＝0
（第９面）
Ｋ＝0，
Ａ＝0.02118137，  Ｂ＝-0.0006301，
Ｃ＝-0.0019201，  Ｄ＝0.00075273，
Ｅ＝-7.82×10-5，  Ｆ＝0，
Ｇ＝0
（第１０面）
Ｋ＝-27.2705，
Ａ＝-0.0152344，  Ｂ＝0.00287693，
Ｃ＝-0.0007336，  Ｄ＝8.96×10-5，
Ｅ＝-4.53×10-6，  Ｆ＝0，
Ｇ＝0
【００９２】
図１２は、実施例６にかかる撮影レンズの球面収差図、非点収差図、歪曲収差図、および倍率の色収差図である。図中、ＦはＦ線（λ＝４８６ｎｍ）、ｄはｄ線（λ＝５８８ｎｍ）、ＣはＣ線（λ＝６５６ｎｍ）に相当する波長の収差を表す。また、非点収差図における符号Ｓ，Ｍは、それぞれサジタル像面、メリディオナル像面に対する収差を表す。
【００９３】
なお、上記数値データにおいて、ｒ1，ｒ2，・・・・は各レンズ面などの曲率半径、ｄ1，ｄ2，・・・・は各レンズの肉厚またはそれらの面間隔、ｎｄ1，ｎｄ2，・・・・は各レンズのｄ線（λ＝５８８ｎｍ）における屈折率、νｄ1，νｄ2，・・・・は各レンズのｄ線におけるアッベ数を示している。
【００９４】
また、上記各非球面形状は、非球面の深さをＺ、光軸からの高さをｙとし、光の進行方向を正とするとき、以下に示す式により表される。
【００９５】
【数１】
2011141396.tif 000003
【００９６】
ただし、Ｒは近軸曲率半径、Ｋは円錐係数、Ａ，Ｂ，Ｃ，Ｄ，Ｅ，Ｆ，Ｇは、それぞれ４次，６次，８次，１０次，１２次，１４次，１６次の非球面係数である。
【００９７】
以上説明したように、上記各実施例に示した構成により、Ｆ値１．８〜２程度の明るさが確保でき、優れた光学性能を備えた撮影レンズを実現できる。特に、前記第３レンズに像側に凸形状を向けたレンズを採用することで明るいレンズを実現できる。さらに、前記第１レンズと前記第２レンズとを間隔をあけて配置することにより、補正面を増やし、明るいレンズを実現することにより顕著になる球面収差を良好に補正することができる。また、上記各実施例の撮影レンズは、安価で加工が容易な樹脂レンズを含んでいるので、光学系の軽量化に加え、製造コストの低減化を図ることができる。
【００９８】
さらに、上記各実施例の撮影レンズを備えることで、薄暗い場所でもストロボ照射を必要とせずに撮影可能なカメラモジュール、撮像装置を提供することができる。
【産業上の利用可能性】
【００９９】
以上のように、この発明の撮影レンズは、固体撮像素子が搭載された携帯型撮像装置に有用であり、特に、薄暗い場所での動画撮影に優れた効果を発揮する。
【符号の説明】
【０１００】
Ｌ１１，Ｌ２１，Ｌ３１，Ｌ４１，Ｌ５１，Ｌ６１  第１レンズ
Ｌ１２，Ｌ２２，Ｌ３２，Ｌ４２，Ｌ５２，Ｌ６２  第２レンズ
Ｌ１３，Ｌ２３，Ｌ３３，Ｌ４３，Ｌ５３，Ｌ６３  第３レンズ
Ｌ１４，Ｌ２４，Ｌ３４，Ｌ４４，Ｌ５４，Ｌ６４  第４レンズ
Ｌ１５，Ｌ２５，Ｌ３５，Ｌ４５，Ｌ５５，Ｌ６５  第５レンズ
ＳＴ  開口絞り
ＩＭＧ  像面
【図１】
2011141396.tif 000004
【図２】
2011141396.tif 000005
【図３】
2011141396.tif 000006
【図４】
2011141396.tif 000007
【図５】
2011141396.tif 000008
【図６】
2011141396.tif 000009
【図７】
2011141396.tif 000010
【図８】
2011141396.tif 000011
【図９】
2011141396.tif 000012
【図１０】
2011141396.tif 000013
【図１１】
2011141396.tif 000014
【図１２】
2011141396.tif 000015